(57)【要約】【課題】印刷で作られた導電膜ヒータの温度制御法には、次のような課題があった。（１）温度センサーの点だけの温度情報で温度制御していたため誤差が大きかった。（２）透明な導電膜ヒータでは温度センサーの配置でヒータ面の視野が狭くなっていた。（３）導電膜ヒータの温度制御法には多種類あるが、安定した制御法は不明確であった。（４）導電膜ヒータのマルチ配列ではリード線数が多くなり複雑なハーネスとなっていた。【解決手段】導電膜ヒータのヒータ部の抵抗変化を利用して温度検知素子とすることでヒータ温度と該素子との誤差を小さくすることができる。次に、透明な導電膜ヒータにおいて、温度検知素子をヒータ部と同一材料で形成し、ヒータ部側辺または中央部に配置して視野の狭小化を防ぎ、同時にハーネスも簡素化できた。また、温度制御に時間分割法、ＰＷＭ、ＰＩＤ制御を採用し、安定した導電膜ヒータの温度制御法を案出した。【選択図】図２
2017103194.tif 000002
【特許請求の範囲】
【請求項１】
導電膜ヒータの２本の電極に、電力供給回路の２端子と、温度検知回路の２端子を並列接続し、温度制御中に電力供給回路が動作している時間と温度検知回路が動作している時間とに時間的重複がないことを特徴とする導電膜ヒータの温度制御法。
【請求項２】
導電膜ヒータのヒータ部電極と電力供給回路が接続され、ヒータ部の側辺部または中央部に温度検知素子が該ヒータ部と同一材料で形成され、温度検知素子の電極は温度検知回路に接続されていることを特徴とし、かつ温度制御中の回路の動作は請求項１に記載の導電膜ヒータの温度制御法。
【請求項３】
導電膜ヒータのヒータ部の電極の１極と温度検知素子の電極の１極が共用されていることを特徴とする請求項２に記載の導電膜ヒータの温度制御法。
【請求項４】
導電膜ヒータの側辺部又は中央部に設けられた温度検知素子において、電力供給回路が動作している時間に、電力供給回路から該素子へ電力が供給されることを特徴とする請求項２、請求項３に記載の導電膜ヒータの温度制御法。
【請求項５】
導電膜の縁と温度検知素子の遠い方の辺の距離をａ、該素子の幅をｂ、ヒータ部の電極幅をＬ１、該素子の電極幅をＬ２、導電膜ヒータに印加する電圧をＶ１、該素子の電極に対する
2017103194.tif 000013
ータ部に接続されているＯＮ状態において、該素子にＶ１からＶ２までの間の適切な電圧が印加されることを特徴とする請求項２、請求項３、請求項４に記載の導電膜ヒータの温度制御法。
【請求項６】
温度検知素子の素子形状が長方形か、ジグザグ状になっていることを特徴とする請求項２、請求項３、請求項４、請求項５に記載の導電膜ヒータの温度制御法。
【請求項７】
温度制御の動作において、時間分割法、ＰＷＭ（パルス幅変調）を共用していることしていることを特徴とする請求項１、請求項２、請求項３、請求項４、請求項５、請求項６に記載の導電膜ヒータの温度制御法。
【請求項８】
ＰＷＭの制御周期Ｔｓ、電力供給の最大時間幅Ｔｍａｘ、１回の温度検知時間幅ｔｏ、平均化のための温度検知回数ｎ、ＰＷＭのパルスの電圧の安定化時間Δｔとすると、次の３式、
2017103194.tif 000014
うに各数値が選択されていることを特徴とする請求項１、請求項２、請求項３、請求項４、請求項５、請求項６、請求項７に記載の導電膜ヒータの温度制御法。
【請求項９】
導電膜ヒータのヒータ材料がＩＴＯ膜であることを特徴とする請求項１、請求項２、請求項３、請求項４、請求項５、請求項６、請求項７、請求項８に記載の導電膜ヒータの温度制御法。
【発明の詳細な説明】
【技術分野】
【０００１】  本発明は高分子フィルムやガラスなどの面状基材上に導電膜を成形し、電極を取り付けて電力供給するヒータにおいて、導電膜材料の抵抗値が温度変化することを利用して発熱部を所望の温度に保つ導電膜ヒータの温度制御法に関するものである。
【背景技術】
【０００２】  導電膜ヒータは医療機材の保温や電子基板の保温などに使われている。さらに透明な導電膜ヒータは低温環境で使われる液晶ディスプレイの保温部材、交通信号の防曇部材、監視カメラの結露防止部材などに広く利用されている。この種のヒータは発熱パネルや薄膜抵抗体ヒータとも呼ばれ、近年注目を集めている。【０００３】  従来の導電膜ヒータは、長方形（または任意形状）の面状基材の上に均一な導電膜を成膜し、長方形の相対する２辺に電極を印刷等で形成して構造ができあがる。印刷された一対の電極に電力を供給することにより、ヒータとしての機能を現出する。【０００４】  面状機材としては、高分子フィルム、ガラス、ステンレス板、銅板等が用いられる。高分子フィルムは透明導電膜ヒータとして使われることが多い。中でもＰＥＴ（ポリエチレンテレフタレート）、ＰＥＮ（ポリエチレンナフタレート）、ＰＣ（ポリカーボネート）、ポリイミドが代表的な高分子フィルムの面状基材である。【０００５】  導電膜の透明な材料としてＩＴＯ膜（インジウムと錫の酸化物の膜）、銀ナノワイヤ膜、導電性ポリマー膜などがあり、不透明な材料としては、カーボン印刷膜、金属蒸着膜が知られている。【０００６】  電極としては、固有抵抗値の低い銀ペーストの印刷膜が代表例である。他方、安価な銅やニッケル等の金属ペーストも用いられる。また、銅箔などに機械的加工を施して電極として使用することも多い。【０００７】  温度制御法としては、電圧を一定にして通電し、外気温より高く温度を保つオープン制御のタイプ、導電膜ヒータに温度センサーを貼り付けてヒータの温度を検出しつつヒータ面温度を制御する閉ループタイプ、ヒータ近辺にサーモスタットを配置して環境の特定温度以下では電力を供給し、ある温度以上では電力供給を停止するタイプ等多数存在する。
本発明においては、上記に概説した導電膜ヒータの温度制御法についての改良を提案するものである。
【先行技術文献】
【０００８】
【特許文献１】実用新案登録３１６１０９３
【特許文献２】特開２０１２−１６０４２１
【特許文献３】特開２０１１−２２２４６１
【特許文献４】特開２００１−２８１０６９
【発明の概要】
【発明が解決しようという課題】
【０００９】  導電膜ヒータは上述の通り、ヒータ面温度を周囲温度より高い状態に保持して電子機器の曇り、結露や雪などを除去しようとするものである。したがって常に所望の温度に保持するための機能が要求される。
【００１０】  ここで、従来の導電膜ヒータの温度制御法の典型的なタイプを、図１を用いて説明する。
図１において、導電膜ヒータ部２０に電力を供給する電力供給電極１０、導電膜が成膜された面状基材５０、導電膜がエッチング工程で除去された境目である導電膜の縁５５、サーミスターや熱電対と電極を配置して構成される温度センサー３０、温度情報を取り出す温度検知電極４０等から導電膜ヒータは成り立っている。この導電膜ヒータの電極は電力供給回路６０に接続され、また温度センサーの電極は温度検知回路７０に接続される。温度検知回路の温度情報によって温度制御ユニット８０から電力供給回路６０へ指令が出され該回路が作動し、導電膜ヒータの温度制御が実現する。
【００１１】  上述のように所望の温度に保持する機能は、ヒータ面に小さな温度センサーを配置し、その温度を計測して、しかるべき制御手段（たとえばＰＩＤ制御）により現出されていた。しかし、温度センサーをヒータ面に配置すれば、センサーの狭小な面積の温度のみが検知されて、所望の温度との間に誤差が生じることが多かった。
【００１２】  一方、電極を検知回路に接続するには引き出し用の電極が必要となり配線が複雑になるなどの課題、透明導電膜ヒータの場合には透明なヒータ面の視野が狭くなるという課題、温度検知センサーからのリード線により熱量が散逸し温度誤差が生じやすいことなどの課題も有していた。さらに、ヒータ面の抵抗変化の利用や、それと同じ材料を温度検知素子として利用する場合には温度に対する抵抗値の安定性という課題があった。
【００１３】  他方、温度センサーからの信号を処理して、温度制御するための電力供給方法は多種類考えられる。それらは大きく分けて、抵抗法、二周波数法、時間分割法がある。これらの制御法のうち、どの方法が導電膜ヒータの温度制御法として優れているか明確にはなっていなかった。加えて、電力供給量が大きくなると可聴音ノイズの発生も課題であった。
【００１４】  以上の課題をまとめると以下のようになる。
第一課題として、温度センサーに個別のものを用いると、一般にセンサー面積は小さくその面積しか計測されず、温度センサーのリード線からの熱の散逸などもあってヒータ面の平均温度との間に乖離が生じ、所望の温度を保持することの安定性に問題が生じていた。
【００１５】  第二課題として、ヒータ面が透明である透明導電膜ヒータの場合には、温度センサーが不透明なため、ヒータ面の視野が狭小になるという欠点を有していた。
【００１６】  第三課題として、上記と同じ透明導電膜ヒータの場合、ヒータ面上に温度センサーを配置すると、印刷で形成された電極がヒータ面の視野をさらに狭小にしていた。
【００１７】  第四課題として、ヒータ面上に温度センサーを配置し、リード線に通常の銅線や補償導線などを使う場合にはリード線の数が増大し、配線やケーブルハーネスが複雑になるという欠点があった。特に、透明導電膜ヒータがマルチ配列で使用される信号授受システムでは、回路との接続のためのケーブルハーネスが複雑化するという大きな課題があった。
【００１８】  第五課題として、温度制御法上の課題がある。温度制御法として、抵抗法、二周波数法、時間分割法などが存在することはこれまでに述べた。抵抗法では、温度センサーの温度検知回路とヒータに通電する電力供給回路とは電気的に独立している制御法である。二周波数法は、温度検知回路の電流と、電力供給回路の電流はそれぞれ周波数を異にし、それらを重畳して同じリード線や電極を使う温度制御法である。時間分割法は、温度検出回路の動作時間と、電力供給回路の動作時間とに時間差を設け同じリード線や電極を使うが、時間重複のない温度制御法である。これら３制御法について、導電膜ヒータの温度制御法としての優劣が明確ではなかった。
【００１９】  第六課題として、温度検知方法においてヒータ面の抵抗変化、またはヒータ面と同じ材料の抵抗変化を利用する場合には、温度制御の電力が大きいので、電力の供給時に、導電膜ヒータの伸縮や共振により、可聴音ノイズが発生するという課題があった。
【００２０】  第七課題として、導電膜ヒータのヒータ面の抵抗変化を利用した温度検知や、ヒータ面と同一の材料を使った温度検知素子による温度検知の場合には、温度と材料の抵抗値との安定性、および時間経過に対する抵抗値の安定性に問題があった。
【課題を解決するための手段】
【００２１】  本発明においては、以下の手段を提案することにより、上記の課題の解決を目的としている。なお、以下のページにおいて、数式にはエクセルと同じ表現を用いている。すなわ
2017103194.tif 000003
【００２２】  課題解決の第１手段として、独立の温度センサーをヒータ面に配置するのではなく、ヒータ面全面の抵抗値変化を利用することを提案する。これはヒータ面に形成されている電極を電力供給回路にも温度検知回路にも接続することを意味する。
【００２３】この第１手段は、先の第一課題に対応し、ヒータ面の抵抗変化を温度検出に利用することで、温度センサーが不要になり、安価になる。さらに、ヒータ面自身の温度で温度制御が可能になり、制御の安定性が増す。
【００２４】  同時に本手段により、第二課題である温度センサーが不透明であることによる透明導電膜ヒータの視野が狭くなることへの対策にもなる。
【００２５】  第２手段として、第一手段で掲げた導電膜ヒータの抵抗値と温度検知回路との整合性をとることが難しい場合に、ヒータ面と同一材料の温度検知素子をヒータ面近傍に形成し、該素子の抵抗値の温度変化を利用して温度計測をすることを提案する。そのために導電膜ヒータ面の側辺またはヒータ面の中心部に、ヒータ面電極にほぼ垂直に、温度検出素子を形成する。本手段では該素子に面積的な広がりができ、温度計測が該素子面積の平均温度として検出されるため、制御の安定性が増す。さらに、温度検知素子面の平均温度と導電膜ヒータ面の平均温度との差異をあらかじめ測定し、そのデータを記憶して制御に利用すれば、精度の高い温度制御が可能となる。加えて、透明導電膜ヒータの場合には、温度センサーによる視野が狭くなることも回避できる。本手段は第一、第二課題に対応するものである。
【００２６】    第３手段として、第２手段に加えて、印刷で作られたヒータ部の電極の１極と温度検知素子の電極の１極を共用することを提案する。これにより第三課題である印刷電極による透明導電膜ヒータの視野の狭小化をさらに軽減できる。
【００２７】  先に第四課題とて従来の温度センサーに銅線や補償導線を使うと、配線やケーブルハーネスが複雑になることを挙げた。本手段のように電極の共有化により配線の簡素化が可能になる。加えて、配線の簡素化により接続される回路の電気的ノイズの低下も期待できる。上述の通り、本手段は第三、第四課題に対応する。
【００２８】  第４手段として、これまで第２、第３手段で示してきた温度検知素子に、温度制御電力を供給することを提案する。この温度検知素子は、導電膜ヒータと同一材料であり製造工程も同じになるが、ヒータ面とは別な位置に形成される。
【００２９】  通常、温度検知素子には温度制御電力は供給されないので、ヒータ面より温度低下が大きく温度制御の精度が悪くなる。この温度低下を補うために、該素子にも温度制御電力を供給する。先にあげた温度の３制御法のうち、抵抗法と二周波数法では該素子に電力供給をすることはかなり難しい。しかし、時間分割法では、電力供給の時間にはヒータ部および該素子と電力供給回路はＯＮ状態にし、温度検知の時間には温度検知回路のみＯＮ状態にすれば、該素子に電力供給することは容易である。このように該素子の両端に電力供給回路の電圧を印加すると、該素子とヒータ面はほぼ同じ温度になる。これは、該素子長さが電極幅相当分短くなって抵抗値が下がり、電流量が増加する一方、電力を供給していない（導電膜のない）空きの領域も増えているので、それらが平均化され、ヒータ面の温度に近い該素子の温度が実現する。
【００３０】  さらに温度検知素子温度の精度を上げることを説明する。時間分割法のもとで、導電膜の縁５５から該素子の遠い方の辺との距離をａ（図３参照）とし、ヒータ面の電極間距離Ｌ１
2017103194.tif 000004
ることにより、空き領域を含めた平均電力密度が同じになるので両者の面積の温度は同一になる。具体的な電圧の詳細は実施例２で示す。
この第４手段は、ヒータ面と同一材料でヒータ面近傍に温度検知素子を形成するために、ヒータ面と該素子面とで温度差が生じるという新たな課題に対する対策である。
【００３１】  第５手段として、上記第２手段として提案したヒータの側辺または中央部に温度検知素子を形成する構造において、該素子の形状を電極に垂直なジグザグ型（側辺縦型ジグザグ温度検知素子）にすることや、あるいは電極に平行な方向にジグザグ型（側辺横型ジグザグ型温度検知素子）にすることを提案する。このような構造にすることにより、該素子の抵抗値を広範囲に変えることができるようになり、温度検知回路のインピーダンスに整合性を持たせることが容易となる。さらには、温度の測定精度を上げることに繋がる。これは新しい特長として追加されるものである。
【００３２】  第６手段では、時間分割法を温度制御中に発生する可聴音ノイズの対策手段として、導電膜ヒータの温度制御法に加えることを提案する。
温度制御法には、大きく分けて抵抗法、二周波数法、時間分割法があることを、先に述べた。また、第４手段で「時間分割法のもとで温度検知素子に制御電力を供給する」ことも述べた。ここでは、さらに時間分割法が可聴音ノイズの出ない導電膜ヒータの温度制御法に適していることを述べる。
【００３３】  抵抗法は、温度検知素子の電極と電力供給電極は独立しているので、回路における自由度は高い。しかし、独立した温度センサーを必要とし、本発明で説明している温度検知素子材料とヒータ部材料が同一で電極の１極を共用する場合では、温度制御電力と温度検知電流の混信が発生しやすい。さらに、第４手段を併用することは難しく、抵抗法は導電膜ヒータの温度制御法には適していない。
【００３４】  二周波数法は、温度検知用の周波数（高い）と温度制御電力用の周波数（低い）が１０００倍以上離れていても、混信が発生して温度計測の精度が低下する。また、第４手段を併用することはやはり難しい。したがって、二周波数法も本発明の導電膜ヒータの温度制御法に適しているとはいえない。
【００３５】  時間分割法では、温度検知電流のパルス幅と温度制御電力のパルス幅を自由に選択でき、混信も少なく、電極の共用も容易である。温度制御電力が大きいことから発生する可聴音ノイズを避けるような制御周期５０ｍｓｅｃ（ミリ秒）以上のパルス幅も自由に設定できる。以上を勘案し、３制御法のうち時間分割法は導電膜ヒータの温度制御法に最も適した方法といえる。
【００３６】  第６手段の時間分割法もとで、温度検知素子に電力を供給する上記第４手段を具現化することは電力供給回路に大きな変更なしに可能である。時間分割法で導電膜ヒータの温度制御を行うことは、温度検知の精度も上がり、温度制御の電力による可聴音ノイズの回避も簡単にできる。本手段は第五課題と第六課題の対策である。
【００３７】  第７手段として、時間分割法をさらに深化させて活用するために、電力供給にパルス幅変調（ＰＷＭ）を導入し、電力供給のパルス幅の算出法としてＰＩＤ制御を組み合わせる。時間分割法とＰＷＭ、ＰＩＤ制御との整合性の良さを利用して併用し、本発明の導電膜ヒータの温度制御法として提案する。
【００３８】  検知した温度にしたがって導電膜ヒータを温度制御することについて、ＰＩＤ制御などの古典制御法のほか、よく知られたファジー制御や最適制御、適応制御などいくつかの現代制御法も考えられる。いずれの方式でも、適用対象を考察し、メリットのある方法を採用すればよい。他方、ＰＩＤ制御のアルゴリズムは基板に組み込まれて市販されており、信頼性も高く、考え方も分かり易い。また、安価でもあるので、第７手段ではＰＩＤ制御も導電膜ヒータの温度制御法に組み入れている。これが第五課題の温度制御法についての答えである。
【００３９】  第８手段としてＰＷＭの変調方式を用いて、パルス幅の時間と温度検知時間とを具体的数値をあげて可聴音ノイズをなくし、デジタル制御の遅れを最小にする方法を提案する。第７手段で説明した時間分割法、ＰＷＭ、ＰＩＤ制御の組み合わせは第８手段でも同じである。
【００４０】  第８手段として、温度制御用の電力が大きいと導電膜ヒータから可聴音ノイズが発生するので、その対策としてＰＷＭの制御周期を５０ｍｓｅｃ以上（繰り返し周波数を２０Ｈｚ以下）とすることを提案する。ＰＷＭのパルスの立下り時間にリンギング等の電気的振動が発生し安定になるまでに時間を要する。回路的工夫やリード線長さの最小化等により、この電気的振動の安定までの時間を０．１ｍｓｅｃ以下とすることができ、温度計測１回の時間を０．０５ｍｓｅｃ以下（繰り返し周波数２０ｋＨｚ以上）に選択できる。したがって、低音域でも高音域でも可聴音ノイズのない導電膜ヒータの温度制御法が実現する。具体的な数値については実施例６で説明する。
【００４１】  上記の数値の設定では、制御対象物である導電膜ヒータ単体での熱時定数が、数十ｓｅｃもあるので、デジタル制御にありがちな制御の遅れも発生することなく良質な温度制御法が実現できる。以上の事柄をまとめると、温度制御の方法として、時間分割法、ＰＷＭ、ＰＩＤ制御の組み合わせが最も優れた導電膜ヒータの温度制御法といえる。
本手法は第五、第六課題に対応している。
【００４２】  第９手段として、ＩＴＯ膜の抵抗値を安定化させる方法を提案する。第七課題である温度と抵抗値の安定性低下について考察する。温度センサーとして、第１手段の導電膜ヒータの全面の抵抗値変化を利用する場合や、第２手段であるヒータ側辺の温度検知素子の抵抗値変化を利用する場合のいずれにおいても電力を供給した状態ではエージング効果により抵抗値が徐々に変化（増加、減少など）する。また、温度と抵抗値の線形性が悪く、温度を上下させると同じ点を通過しないヒステリシス現象が出ることもある。これが第七課題である。
【００４３】  この課題に関し、本特許の発明者等による実験の結果、ＩＴＯ膜の透明導電膜ヒータにおいては、ある時間エージングすれば初期変化の後、きわめて安定な抵抗値の実現が可能となった。エージングにより抵抗値を安定化させたあとのＩＴＯ膜を使って透明導電膜ヒータを作ることを第１手段から第８手段に加え第９手段として提案する。このエージング処理した材料を使うことにより抵抗値の不安定現象（エージング効果による抵抗値変化、ヒステリシス現象）を回避することができる。その詳細については、実施例６の中で詳しく説明する。
【００４４】  以上の第１手法から第９手法の対策を採用することにより、先に説明した導電膜ヒータの温度制御法における課題を解決し、さらに新しい効果を生み出すことができるものである。
【発明の効果】
【００４５】  ここで説明した導電膜ヒータの温度制御法には次のような効果がある。
（１）温度検知素子共用導電膜ヒータの場合、温度センサーが不要となり、構造が簡単で      安価になる。
（２）温度検知素子共用型、側辺温度検知素子型の導電膜ヒータでは温度検知が１点でな      く、広い領域で行われるので、温度制御の精度が増す。
（３）透明導電膜ヒータの場合、温度検知素子が透明なためヒータ面視野が広くなる。
（４）温度検知素子と導電膜ヒータ面の電極の１極が共用されることによりリード線の引      き回し本数が少なくなり、配線やケーブルハーネスが簡素化され、結果として回路      の電気的ノイズの低下が期待できる。
（５）導電膜ヒータの側辺部や中央部に形成された温度検知素子に電力供給回路から電力      を供給することにより、該素子部の温度低下を防ぎ、高い制御性能が発揮される。
（６）温度検知素子の形状が長方形やジグザグ型など自在にできるので、その抵抗値も自      在に選択でき、温度検知回路とのインピーダンス整合が良くなり、温度計測の精度      が上がる。
（７）時間分割法、ＰＷＭの組み合わせにおいて、温度制御の定数を合理的に選択できる      ので、混信がなく、可聴音ノイズもなく、デジタル制御の遅延もない安定した導電      膜ヒータの温度制御法が実現できる。
（８）ヒータ面と温度検知素子を同一材料で形成する場合、エージングを施したＩＴＯ膜      を使用することで抵抗値の安定性が高くなり、良好な透明導電膜ヒータの温度制御      法となる。
【図面の簡単な説明】
【００４６】
【図１】  従来型の導電膜ヒータ
【図２】  温度検知素子共用導電膜ヒータ
【図３】  側辺温度検知素子付き導電膜ヒータ
【図４−１】  側辺縦型ジグザグ温度検知素子付き導電膜ヒータ
【図４−２】  側辺横型ジグザグ温度検知素子付き導電膜ヒータ
【図４−３】  中央部温度検知素子付き導電膜ヒータ
【図５】  時間分割法とＰＷＭによる温度制御法
【図６−１】  ＩＴＯ膜の導電膜ヒータにおける通電時間と抵抗変化
【図６−２】  ＩＴＯ膜の導電膜ヒータにおける温度と抵抗値
【発明を実施するための形態】
【００４７】  本発明の実施例を図２〜６を用いて説明する。図の番号と記号はこれまでの説明と共通である。なお、実施例では高分子フィルムの面状基材上の温度検知素子と導電膜ヒータ構造、および温度制御法を説明するが、面状基材としてはガラス板、絶縁膜を施した金属板でも同じことがいえる。
【実施例１】
【００４８】  本発明の基本である導電膜ヒータのヒータ面の抵抗変化を温度検知素子として利用する実施例１を図２に示す。導電膜ヒータ部と温度検知素子は全く同一であり、この導電膜の領域を温度検知素子共用導電膜ヒータ部２１とする。導電膜ヒータの電極１０は印刷とエッチングで形成され、その電極からリード線を介して電力供給回路６０と温度検知回路７０、さらには温度制御ユニット８０に接続される。温度制御ユニットでは、温度検知回路からの温度情報を受け、時間分割法とＰＷＭ、ＰＩＤ制御のアルゴリズムに従って、電力供給回路に温度制御指令を送り、温度制御が実現する。【００４９】  導電膜ヒータ部と温度検知素子の共用により、個別の温度センサーの取り付けも不要となる。したがって、構造が簡単になり配線加工数も減り、安価になる。ヒータ部が透明な材料の透明導電膜ヒータでは、ヒータ面越しの視野が広くなり、監視カメラの結露防止部材、液晶ディスプレイの保温部材などとして優れた部材となる。
このように電力供給と温度検知に同一のヒータ面を使う制御方式を、温度検知素子共用導電膜ヒータの温度制御法とする。実施例１は、先に説明した課題解決の第１手段に対応している。
【実施例２】
【００５０】  実施例２を図３に示す。本実施例では、実施例１に示したようなヒータ面の抵抗値を利用できない場合、すなわちヒータ部の抵抗が１０ＭΩ以上と極端に高い場合や、１０Ω以下など極端に低い場合には温度検知回路とのインピーダンスの整合性が悪く測定精度の低下を招く。このような場合、ヒータ部の側辺に導電膜ヒータと同一材料で、同一の製造工程を経て、所望の抵抗値の側辺温度検知素子３１を形成する。図３において、側辺温度検知素子の幅ｂと該素子の電極間距離Ｌ２を変えるえることにより、抵抗値をかなりの範囲で変化させることができる。【００５１】  図３では側辺温度検知素子に接続されている電極の片方４０が導電膜ヒータの電極の片方１０と共用する構造になっており配線の簡素化を図っている。図３の構造で温度制御を行うことを、側辺温度検知素子付き導電膜ヒータの温度制御法とする。【００５２】  この実施例２の特長は、第一に温度検知素子の抵抗値を温度検知に最適な値に選定でき、温度測定の精度が上り制御の質も向上することである。第二として温度検知素子の電極の１極とヒータ部の電極の１極を共用することにより、電極本数が減り、回路と温度検知素子の配線やケーブルハーネスが簡素になる。また、透明導電膜ヒータの場合にはヒータ面の視野の拡大に繋がる。以上の結果、製造しやすく、電気的ノイズの少ない上質な導電膜ヒータの温度制御法が実現する。これは課題解決の第２、第３手段の具現化である。【００５３】  さらに実施例２について制御の質を向上させる方法について説明する。導電膜ヒータがある温度になっても、温度検知素子はヒータ部の側辺にあるためヒータ部の平均温度から差異が生じている。そこで、温度検知素子が温度計測をしていない時間帯に、電力供給回路６０から電力を供給することによって、温度を上昇させる対策をとる。この電力により温度検知素子３１の平均温度がヒータ部の平均温度にきわめて近くなり、温度制御の精度が向上する。【００５４】    さらに両者の温度を近づけるには、ヒータ部に供給される電力密度と、温度検知素子３１の空き領域（導電膜のない領域）を含めた面積の平均電力密度を同じにすることである。図３において、ヒータ部のシート抵抗をＲｏとし、導電膜の縁５５と該素子３１のヒータ面から最も離れている辺との距離をａ、ヒータ部の電極間距離Ｌ１、ヒータ部の電極電圧をＶ１とし、長方形の温度検知素子の幅ｂ、長さＬ２、該素子に印加される計算上の電圧Ｖ２、面積
2017103194.tif 000005
給電力であるので、両電力が等しいという条件Ｐ１＝Ｐ２から、次の式が成り立つ。
2017103194.tif 000006
【００５５】  （式１）で示す計算上の電圧Ｖ２を側辺温度検知素子の両極に印加すれば、ほぼ同じ面積に同じ電力が加えられることになるので、平均化により、側辺温度検知素子領域とヒータ
2017103194.tif 000007
Ｖ２が同じになる。該素子への印加電圧は、Ｖ１から計算上の電圧Ｖ２までの間の電圧であれば両者の温度はほぼ同じになると考えられるので、その間の適切な電圧を設定すればよい。このように適切な電圧の印加で側辺温度検知素子の温度補正ができるので、温度制御の質が向上する。【００５６】  上の説明では、Ｖ２の電圧を変えることを考察しているが、時間幅を変えることも考えられる。しかし、この考えはＰＷＭの制御周期に影響を与えることになり、パルス幅の基本設計から変更しなければならない。その工数と繁雑さを考えると、側辺温度検知素子の温度補正には印加電圧を変えて行う方が良策であると判断できる。【００５７】  なお、実施例２を実現するには図３に加えて電力供給回路にＶ１ではない適切な電圧を発生する回路、および側辺温度検出素子との間の通電をＯＮ・ＯＦＦするスイッチング回路が必要となる。これら常識的な付加的回路は、図３では省略されている。実施例２は課題解決の第２、第３、第４手段の具現化である。
【実施例３】
【００５８】  図４−１と図４−２、図４−３に実施例３を示す。温度検出素子の抵抗値をさらに大きく変えるためには、導電膜ヒータの側辺部に設けた温度検知素子の形状を変えることで達成できる。シート抵抗Ｒｏはヒータ部の設計時に与えられる一定値であるので、素子形状が長方形であれば、抵抗値は図３の素子幅ｂと長さＬ２で決まる。抵抗値をさらに増加させたい場合には、ヒータの側辺に設けた素子形状を図４−１のように縦型ジグザグにすれば、かなりの増加を見込むことができる。図４−１を側辺縦型ジグザグ温度検知素子３２付き導電膜ヒータと呼ぶ。側辺部の素子領域の形状によっては、図４−２のように側辺横型ジグザグの素子にする方が有利なこともある。これを側辺横型ジグザグ温度検知素子３３付き導電膜ヒータと呼ぶ。【００５９】  ここでジグザグ型と表現している内容は、図４−１や図４−２にあるような角型の形状に限らない。コーナー部が緩やかなカーブをつくる「コ」の字型、あるいは「く」字型、「Ｕ」字型など各種考えられるが、ここではその詳細を省略する。
抵抗値を減少させなければならない場合には、素子形状の幅ｂを大きくし、電極間隔を小さくすることで達成できる。なお、ジグザグ型の温度検知素子に温度補正の電力を供給するには、上記（式１）において、Ｌ２としてセンサーの実効長さを代入すれば計算上の電圧Ｖ２を算出し、適切な電圧を決定することができる。【００６０】  図４−１と図４−２の場合で、どちらが抵抗値をより大きく変化させられるかは、導電膜ヒータの形状や温度検出素子に割り当てられる面積に依存する。いずれの場合も抵抗値は温度検知素子幅と該素子の実効的な長さによって決まる。【００６１】  図４−３にヒータ面を２個のヒータ部に分け、その中間に温度検知素子を配置した構造を示す。この構造では、ヒータ部の温度が温度検知素子の両側から熱伝導で熱が伝えられ、上述した温度検知素子に温度補正の電力供給なしに、ヒータ部の平均温度と温度検出素子の温度差を小さくすることができる。この構造を中央部温度検知素子３４付き導電膜ヒータとする。中央部温度検知素子でもヒータ部との温度乖離が許容値以上であれば、温度検知素子に電力供給回路から電力を供給して温度補正を行うこともできる。無論、中央部温度検知素子の場合も抵抗値を変えるために、ジグザグ構造とすることもできる。
側辺縦型ジグザグ、側辺横型ジグザグ、中央部の温度検知素子の構造のいずれを選択するかは、ヒータ部の抵抗値、導電膜の透明性、素子部の抵抗値、必要な温度制御の精度などによって決まる。実施例３は課題解決の第５手段を具現化したものである。
【実施例４】
【００６２】  図２から図４−３までの温度制御ユニット８０に入っている温度制御アルゴリズムについて実施例４として説明する。先に示した導電膜ヒータの温度制御法では、時間分割法を導入し、温度制御電力はＰＷＭで供給し、温度制御アルゴリズムにはＰＩＤ制御を適用することを説明した。実施例４においては、その時間分割法の具体的パルス幅を図５と補助的に図２を使って詳述する。【００６３】  図５は、時間分割法とＰＷＭによる図２の温度検知素子共用導電膜ヒータの電極に印加する電圧を示したものである。温度検知素子からの抵抗値情報を温度検知回路７０で受けて温度情報に変換され、温度制御ユニット８０に伝送される。この温度情報を温度制御ユニットの中に組み込まれたＰＩＤ制御のアルゴリズムに従ってパルス幅情報とし、電力供給回路６０に送られ、具体的なＰＷＭのパルスとなって導電膜ヒータに供給される。【００６４】  図５において、電圧Ｖ、経過した時間ｔ、ＰＷＭにおける温度制御の制御周期をＴｓ、温度制御ユニットからの指示を受けて電力供給回路より供給される電力のパルス幅をＴ、温度検知回路より温度検知素子に通電し温度を１回測定する時間をｔｏ、電力供給パルスの電気振動が治まるまでの時間をΔｔとする。温度の精度を上げるための平均化処理の測定回数をｎとすると、設計仕様として次の式が成り立つ。
2017103194.tif 000008
電力供給のパルス幅Ｔの最大パルス幅Ｔｍａｘの時に（式２）において等号が成り立つことも可能である。Δｔは安全のため２倍としている。【００６５】  電力供給回路からの電力により発生する可聴音ノイズを防ぐために、ＰＷＭの制御周期は５０ｍｓｅｃ以上（繰り返し周波数２０Ｈｚ以下）でなければならない。このように設定すれば人間の耳に聴こえるノイズとはならない。式で表せば次式となる。
（式３）      Ｔｓ≧５０ｍｓｅｃ【００６６】  ここで、温度制御機能が動作中には、電力供給回路がＯＮ状態となり、温度検知回路はＯＦＦ状態になる。ただし、温度補正のために温度検知素子に電力を供給している場合は電
2017103194.tif 000009
温度検知回路と該素子間はＯＮ状態となり、電力供給回路とはＯＦＦ状態にスイッチングしている。【００６７】  具体的にこれらのパルス時間を数値で示す。温度検知のための時間幅は妥当な値として
2017103194.tif 000010
こで、温度検知の時間幅の繰り返し周波数は電力が小さいので、殆ど問題にならないが、安全のために可聴音帯域以上の繰り返し周波数に設定している。Δｔは実験の結果０．１ｍｓｅｃ
2017103194.tif 000011
めに、Δｔを２倍にしている。制御周期Ｔｓは、可聴音以下にする必要があり、（式３）の通り５０ｍｓｅｃ以上（２０Ｈｚ以下）とする。【００６８】  ＰＷＭの印加電圧の時間的な最小パルス幅と最大パルス幅の比は１００倍にすれば十分な刻み幅と考えられる。最小パルス幅は電力供給回路から通電していない時間（０Ｖ時間＝温度計測に必要な時間）を採用し、ＰＷＭの最大パルス幅Ｔｍａｘは温度検知の時間幅の９９倍とする。式で表すと次のようになる。
2017103194.tif 000012
具体的には、Ｔｍａｘ＝９９×０．６＝５９．４ｍｓｅｃ、この値に温度検知の時間幅０．６ｍｓｅｃを加えると制御周期Ｔｓは６０ｍｓｅｃとなる。この値は（式３）を十分満たし、繰り返し周波数に換算すると１６．７Ｈｚである。このように時間幅を設定すると、温度制御の電力の時間可変幅の最大パルス幅と最小パルス幅の比が約１００倍となり、電力供給の分解幅としては十分な比となる。以上の設定により電力供給回路と温度検知回路が動作している時間中の耳障りなノイズは聴こえなくなる。【００６９】  透明導電膜ヒータ単体の熱時定数は２０ｓｅｃ以上であるため、制御周期６０ｍｓｅｃで温度制御が作動すれば、仮に電力供給回路からの指令が１パルス時間遅れてもデジタル制御特有の時間遅延の問題は発生せず、温度制御性能は十分発揮される。なお、実施例４は課題解決の第６、第７、第８手段に対応している。
【実施例５】
【００７０】  図６−１、図６−２を用いて、実施例５を説明する。導電膜ヒータに電力が供給されて、長時間の運転状態のもとでは温度が一定ならば、抵抗値は一定でなければならない。そこで実施例１のような温度検知素子共用導電膜ヒータ２１については、ＰＥＴ上に成膜された透明なＩＴＯ膜のフィルムを使用することが多いので、ＩＴＯ膜の透明導電膜ヒータに通電して抵抗値の安定性を調べた。結果を図６−１に示す。【００７１】  図６−１では透明な温度検知素子共用導電膜ヒータの通電時間と抵抗変化の割合（％）を示す。ヒータの種類によって抵抗値が異なるので、初期の抵抗値を１００％として変化をグラフ化した。通電時間（エージング時間）はヒータが外気より３０℃高くなるように電圧と電流を設定した。抵抗値測定には標準抵抗を用いて小数点１位（０．１Ω）の精度を保つように測定機器を調整している。温度測定の環境は、エアコンでコントロールされ、２３〜２７℃に保たれている。【００７２】  図６−１から分かる通り、２００時間程度でＩＴＯ膜の初期の抵抗変化が終了し、その後は非常に安定した抵抗値となっている。初期の抵抗変化は短いもので２４時間、長くても２００時間で治まる。ヒータ温度を少し高くすると、初期の抵抗変化終了の時間短縮が可能であることを別の実験で確認している。【００７３】  一方、図６−２に、温度と抵抗値の値をプロットした結果を示す。ＩＴＯ膜はエージングを終了した試料を用いている。同図より、温度と抵抗値の関係は非常に優れた線形性を持っていることが分かる。同図にはプロット点を一次式で近似したときの式と、エクセルのグラフで常用されている決定係数Ｒ２を示す。Ｒ２＞０．９９と線形性の良好さを示すには十分な数値となっている。抵抗測定の精度は±０．２Ωとみなせるので、図中の式から１℃で約０．０６Ωの変化となり、温度の測定精度は±３℃となる。温度測定の専門装置としては十分とは言えないが、透明導電膜ヒータの温度制御機能としては、十分な値である。【００７４】  ＩＴＯ膜フィルムはスパッタリングにより作成される。製造工程の違いから、結晶質、非晶質、さらにはシート抵抗の大小（膜厚の大小）等さまざまな特性の製品が販売されている。そして初期の抵抗変化もさまざまである。しかし、大半の試料はエージングによる初期の抵抗変化が終了すると、ＩＴＯ膜の抵抗値は良好な安定性を示す。【００７５】  この安定性は、本特許の発明者らの実験で初めて明らかになったと考える。上記で説明したエージングによる安定化と温度と抵抗値の直線性により、ＩＴＯ膜は透明導電膜ヒータとしての役割と温度検知素子としての役割を両立させることができる優れた材料といえる。なお、実施例５は課題解決の第９手段の具現化である。
【符号の説明】
【００７６】１０    電力供給電極
２０    導電膜
２１    ヒータ部共用温度検知素子
３０    温度検知素子
３１    側辺温度検知素子
３２    側辺縦型ジグザグ温度検知素子
３３    側辺横型ジグザグ温度検知素子
３４    中央部温度検知素子
４０    温度検知電極
５０    面状基材
５５    導電膜の縁
６０    電力供給回路
７０    温度検知回路
８０    温度制御ユニット
ａ      ヒータ面の縁と温度検知素子の遠い方の辺との距離
ｂ      温度検知素子の幅
Ｌ１    ヒータ面の電極間距離
Ｌ２    温度検知素子の電極間距離
Ｖ１    ヒータ面の電極間電圧
Ｖ２    温度検知素子の電極に印加する計算上の電圧
Ｔｓ    ＰＷＭにおける制御周期
Ｔ      電力供給の時間幅
ｔｏ    １回の温度検知の時間幅
Δｔ    電力供給パルスの過渡現象が治まる時間
Ｖ      電圧
ｔ      経過した時間
ｎ      平均化処理の測定回数
【図１】
2017103194.tif 000015
【図２】
2017103194.tif 000016
【図３】
2017103194.tif 000017
【図４−１】
2017103194.tif 000018
【図４−２】
2017103194.tif 000019
【図４−３】
2017103194.tif 000020
【図５】
2017103194.tif 000021
【図６−１】
2017103194.tif 000022
【図６−２】
2017103194.tif 000023